(57)【要約】      （修正有）【課題】手動で設定した露出パラメータで撮影を行う場合であっても、シャッタチャンスを逃すことをより軽減させる。【解決手段】デジタルカメラは、光学系１１と、ＣＣＤイメージセンサ１２と、操作部２１に対する任意の操作に応じてマニュアル撮影の露出パラメータを受け付けるコントローラ１７と、撮影環境に応じて自動撮影の露出パラメータを自動算出するコントローラ１７と、シャッタスイッチから全押信号を取得するコントローラ１７と、全押信号を取得した場合、マニュアル撮影の露出パラメータでデジタルカメラを設定した後、ＣＣＤイメージセンサ１２で画像データを生成するマニュアル撮影動作と、自動撮影の露出パラメータでデジタルカメラを設定した後、ＣＣＤイメージセンサ１２で画像データを生成する自動撮影動作と、を連続して行なうように制御するコントローラ１７とを備える。【選択図】図２
2010118882.tif 000002
【特許請求の範囲】
【請求項１】
被写体像を形成する光学系と、
前記形成された被写体像を撮像して、画像データを生成する撮像手段と、
使用者による操作に応じて、ある設定項目について第１撮影条件の入力を受け付ける受付手段と、
撮影環境に応じて、前記設定項目について第２撮影条件を自動算出する算出手段と、
撮影開始を示す情報を取得する取得手段と、
前記取得手段が撮影開始を示す情報を取得した場合、
前記受付手段で受け付けた撮影条件で自装置が設定された状態で、前記撮像手段で第１画像データを生成する第１の撮影動作と、
前記算出手段で自動算出した撮影条件で自装置が設定された状態で、前記撮像手段で第２画像データを生成する第２の撮影動作と、
を連続して行なうように制御する制御手段と、
を備える撮像装置。
【請求項２】
表示手段と、
前記撮像手段で生成した第１画像データに基づく画像および第２画像データに基づく画像を、前記第１撮影条件を示す情報および第２撮影条件を示す情報と併せて、前記表示手段に表示させる表示制御手段と、
をさらに備える請求項１に記載の撮像装置。
【請求項３】
前記算出手段は、前記受付手段で受け付けた第１撮影条件に基づいて、前記第２撮影条件を自動算出する、
請求項１に記載の撮像装置。
【請求項４】
前記制御手段は、前記第１の撮影動作を行なわせた後、前記第２の撮影動作を行なわせる、
請求項１に記載の撮像装置。
【請求項５】
前記制御手段は、前記第１の撮影動作を行なわせた後、前記第２の撮影動作を行なわせ、
前記算出手段は、前記第１の撮影動作によって生成された第１画像データに基づいて、前記第２撮影条件を自動算出する、
請求項１に記載の撮像装置。
【請求項６】
前記受付手段で受け付けた第１撮影条件と、前記算出手段で自動算出した第２撮影条件との関係に応じて、前記制御手段の連続した撮影動作を行なうか否かを判定する判定手段をさらに備え、
前記制御手段は、前記判別手段が連続した撮影動作を行なうと判定した場合、前記第１の撮影動作と前記第２の撮影動作を連続して行なわせる、
請求項１に記載の撮像装置。
【請求項７】
前記第１及び第２撮影条件は、少なくとも露出に関する情報、焦点に関する情報、及び、画像データの色に関する情報のうち、何れか１つの設定項目を含む、
請求項１に記載の撮像装置。
【請求項８】
表示手段と、
前記制御手段によって前記撮像手段に生成させた第１画像データおよび第２画像データを、前記表示手段に表示させる表示制御手段と、をさらに備え、
前記第１及び第２撮影条件は、焦点に関する情報の設定項目を含み、
前記表示制御手段は、前記第１及び第２画像データを表示させる際、第１及び第２画像データの一部の拡大画像を表示させるようにする、
請求項１に記載の撮像装置。
【請求項９】
第１の記憶媒体と、
第１の記憶媒体よりも記憶速度が遅い第２の記憶媒体と、
前記生成された第１又は第２画像データを、前記第１の記憶媒体又は前記第２の記憶媒体に記憶する記憶手段と、をさらに備え、
前記記憶手段は、
前記第１又は第２画像データの何れかの画像データが前記撮像手段から生成された場合、当該画像データを前記第１の記憶媒体に記憶し、
当該記憶された画像データと異なる画像データが生成された場合、当該生成された画像データを前記第２の記憶媒体に記憶するとともに、前記第１の記憶媒体に記憶された画像データを、当該第１の記憶媒体から読み出して前記第２の記憶媒体に記憶する、
請求項１に記載の撮像装置。
【請求項１０】
前記制御手段は、前記受付手段が第１撮影条件の入力を受け付け、前記算出手段が第２撮影条件を自動算出した後、前記第１の撮影動作及び第２の撮影動作を連続して行なわせるようにする、
請求項１に記載の撮像装置。
【請求項１１】
充電された電荷に基づいて、被写体に光を照射する発光手段と、
前記制御手段に基づく前記第１の撮影動作又は前記第２の撮影動作中に、前記発光手段を制御する発光制御手段と、
前記発光手段の充電状態に応じて、次回の発光が可能か否かを検知する検知手段と、
前記検知手段で発光不可能を検知した場合、使用者からの指示を受け付ける指示受付手段と、をさらに備え、
前記制御手段は、前記第１又は第２の撮影動作を行なった後であって、前記指示受付手段が指示を受け付けた場合、次の撮影動作を停止する、
請求項１に記載の撮像装置。
【請求項１２】
表示手段と、
前記制御手段によって前記撮像手段に生成させた第１画像データおよび第２画像データを、前記第１撮影条件を示す情報および第２撮影条件を示す情報と併せて、前記表示手段に表示させる表示制御手段と、
をさらに備え、
前記第１及び第２の撮影条件は、複数の設定項目を有し、
前記受付手段は、使用者による操作に応じて、前記表示手段に表示された第２撮影条件の複数の設定項目うち、少なくとも何れかの設定項目を、前記第１撮影条件として受け付ける、
請求項１に記載の撮像装置。
【発明の詳細な説明】
【技術分野】
【０００１】
本発明は、撮影操作に応じて被写体像を捉えて、複数の画像データを生成する撮影装置に関する。
【背景技術】
【０００２】
撮影装置の一つであるカメラには、自動撮影モードとマニュアル撮影モードを備えたものがある。自動撮影モードに設定すれば、カメラ側で最適な露出調整やフォーカス調整等が行われ、撮影環境に応じて撮影条件が設定されたカメラによって、誰が撮影しても最適と思われる撮影を行うことが出来る。その一方でユーザの中には、設定をカメラ任せにせずにユーザ自らが露出調整やフォーカス調整を行うことによって、それぞれのユーザ毎のオリジナリティを表現する撮影を行うことも出来る。その際には、ユーザはマニュアル撮影モードにて、それぞれの設定を行う。なお、撮影条件は、複数の設定項目を含む。設定項目には、例えば、絞り、シャッタスピード、ＩＳＯ感度、合焦位置、ホワイトバランス等が考えられるがこれに限られない。
【０００３】
このマニュアル撮影モードにて撮影を行うユーザは、絞りを絞って被写界深度を広くすることで被写体および背景をクリアに見せたり、逆に絞りを開くことによって被写体のみをより強調したりする。また、暗いシーンにおいてもフラッシュを用いずに、長秒露光を行うことによって、夜景などを撮影する。これらの撮影時の設定は、カメラ側が最適に設定したものとは必ずしも同じではなく、その結果として、ユーザの意図とは異なる撮影結果を生むことがある。特に、マニュアル撮影に慣れていないユーザは、ユーザの思い描くオリジナリティ溢れる撮影結果を得るまでには熟練を必要とするため、撮影の失敗が多くなりがちである。
【０００４】
このように、未熟なユーザがマニュアル撮影モードで意図通りの撮影を行うには、多くの撮影とそれに伴う多くの失敗によって、カメラの特性をユーザ自身が掴む必要がある。
【０００５】
この問題に対して、特許文献１では、通算撮影枚数に応じてカメラ内の使える機能を増やしていくという自己育成型のカメラを提案している。このカメラでは、撮影枚数が少ないうちは敢えてマニュアル撮影を行わせないことによって、自動撮影モードによる撮影でユーザに撮影技術の習得を促している。
【０００６】
また、特許文献２では、一度の撮影によって撮影条件を変化させて複数回の撮影を行い、その撮影結果の中から良好なものをユーザが選択し、記録を行うカメラを提案している。このカメラでは、一度に様々な撮影結果を得られるため、その中からユーザの好みにあった撮影結果を選ぶことで、自動撮影モードとは違い、様々な設定における撮影結果を得ることが出来る。
【０００７】
さらに、特許文献３では、マニュアル撮影モードで撮影しようとした時に、明らかに芳しくない撮影結果が予期される撮影条件であるとカメラが判断した場合に、ユーザに警告を発するカメラを提案している。このカメラでは、未熟なユーザが明らかに誤った設定を行ってしまった時に、撮影前にそのことをユーザに知らせることで、ユーザが誤りに気づくきっかけを与えると同時に、警告に応じた場合にはカメラが設定を適正なものに変えてから再度撮影することによって、限られたシャッタチャンスを逃さずに良好な撮影を行うことが出来る。
【特許文献１】特開２００４−２９４２３号公報
【特許文献２】特開平２−１７２３６８号公報
【特許文献３】特開２００５−１０９６０７号公報
【発明の開示】
【発明が解決しようとする課題】
【０００８】
しかしながら、特許文献１では、ユーザの撮影技術の上達を撮影枚数の数のみで想定しているため、実際にユーザが自らの撮影技術を上達させるには、自動撮影モードで撮影を行う際にユーザ自身がその時その時の設定を常に意識・確認して、積極的な学習をする必要がある。
【０００９】
特許文献２では、カメラが複数の撮影条件を自動的に変更して撮影してしまうため、ユーザの撮影技術の積極的な向上には結びつかない。また、同じ被写体に対して複数の撮影結果を提示するために、必要以上に撮影と選別に時間がかかってしまう。そして、カメラが提示した複数の撮影結果の中に、必ずしもユーザを満足させるものを含むとは限らない。
【００１０】
特許文献３では、カメラ自体に撮影条件の良否判断があり、その結果に応じて撮影条件の再設定が行われるため、結局得られる結果はカメラの良否判定の範疇に留まることとなる。また、警告からの再設定の操作によって、シャッタチャンスを逃す可能性もある。
【００１１】
そこで本発明は、手動で設定した撮影条件で撮影を行う場合であっても、シャッタチャンスを逃すことをより軽減させることを目的とする。
【課題を解決するための手段】
【００１２】
すなわち、本発明の撮像装置は、被写体像を形成する光学系と、前記形成された被写体像を撮像して、画像データを生成する撮像手段と、使用者による操作に応じて、ある設定項目について第１撮影条件の入力を受け付ける受付手段と、撮影環境に応じて、前記設定項目について第２撮影条件を自動算出する算出手段と、撮影開始を示す情報を取得する取得手段と、前記取得手段が撮影開始を示す情報を取得した場合、前記受付手段で受け付けた撮影条件で自装置が設定された状態で、前記撮像手段で第１画像データを生成する第１の撮影動作と、前記算出手段で自動算出した撮影条件で自装置が設定された状態で、前記撮像手段で第２画像データを生成する第２の撮影動作と、を連続して行なうように制御する制御手段と、を備える。
【００１３】
このようにすれば、1つの撮影開始信号で、手動で設定した設定項目についての撮影条件による撮影と、自動で設定した設定項目についての撮影条件による撮影と、を連続して行うことができる。したがって、手動で設定した撮影条件による撮影結果が好ましくない場合であっても、自動で設定した撮影条件による撮影結果を得ることができるため、使用者はシャッタチャンスを逃すといったことを、より軽減できる。また、使用者は、オリジナリティある撮影結果も得ることができる。
【００１４】
また、好ましくは、表示手段と、前記撮像手段で生成した第１画像データに基づく画像および第２画像データに基づく画像を、前記第１撮影条件を示す情報および第２撮影条件を示す情報と併せて、前記表示手段に表示させる表示制御手段と、をさらに備える。
【００１５】
このようにすれば、得られた複数の撮影結果から、使用者が手動で設定した設定項目についての撮影条件と、撮像装置が自動で設定した設定項目についての撮影条件を表示できる。したがって、使用者は、自己が設定した撮影条件と、撮像装置が設定した撮影条件を確認することができる。これによって、使用者は、手動で設定した撮影条件の撮影結果が好ましくない場合、撮像装置が自動で設定した撮影条件を確認することで、どの撮影条件の設定に問題があったかを容易に知ることができる。つまり、この撮像装置は、使用者の撮影技術の向上を手助けすることができる。
【００１６】
また、好ましくは、前記算出手段は、前記受付手段で受け付けた第１撮影条件に基づいて、前記第２撮影条件を自動算出する。
【００１７】
このようにすれば、第１の撮影動作と第２の撮影動作とを間におけるタイムラグを短くすることができる。
【００１８】
また、好ましくは、前記制御手段は、前記第１の撮影動作を行なわせた後、前記第２の撮影動作を行なわせる。
【００１９】
このようにすれば、撮影開始を示す信号を受け付けてから、第１の撮影動作に移るまでのタイムラグを短くすることができる。
【００２０】
また、好ましくは、前記制御手段は、前記第１の撮影動作を行なわせた後、前記第２の撮影動作を行なわせ、前記算出手段は、前記第１の撮影動作によって生成された第１画像データに基づいて、前記第２撮影条件を自動算出する。
【００２１】
このようにすれば、第２撮影条件の設定項目を効率的に自動算出することができる。
【００２２】
また、好ましくは、前記受付手段で受け付けた第１撮影条件と、前記算出手段で自動算出した第２撮影条件との関係に応じて、前記制御手段の連続した撮影動作を行なうか否かを判定する判定手段をさらに備え、前記制御手段は、前記判別手段が連続した撮影動作を行なうと判定した場合、前記第１の撮影動作と前記第２の撮影動作を連続して行なわせる。
【００２３】
このようにすれば、無駄な撮影動作を防止することができる。
【００２４】
また、好ましくは、前記第１及び第２撮影条件は、少なくとも露出に関する情報、焦点に関する情報、及び、画像データの色に関する情報のうち、何れか１つの設定項目を含む。
【００２５】
また、好ましくは、表示手段と、前記制御手段によって前記撮像手段に生成させた第１画像データおよび第２画像データを、前記表示手段に表示させる表示制御手段と、をさらに備え、前記第１及び第２撮影条件は、焦点に関する情報の設定項目を含み、前記表示制御手段は、前記第１及び第２画像データを表示させる際、第１及び第２画像データの一部の拡大画像を表示させるようにする。
【００２６】
このようにすれば、第１画像データと第２画像データを比較する際、画像データの合焦状態の比較を容易にできる。
【００２７】
また、好ましくは、第１の記憶媒体と、第１の記憶媒体よりも記憶速度が遅い第２の記憶媒体と、前記生成された第１又は第２画像データを、前記第１の記憶媒体又は前記第２の記憶媒体に記憶する記憶手段と、をさらに備える。そして前記記憶手段は、前記第１又は第２画像データの何れかの画像データが前記撮像手段から生成された場合、当該画像データを前記第１の記憶媒体に記憶し、当該記憶された画像データと異なる画像データが生成された場合、当該生成された画像データを前記第２の記憶媒体に記憶するとともに、前記第１の記憶媒体に記憶された画像データを、当該第１の記憶媒体から読み出して前記第２の記憶媒体に記憶する。
【００２８】
このようにすれば、第１の撮影動作と第２の撮影動作とを間におけるタイムラグを短くすることができる。
【００２９】
また、好ましくは、前記制御手段は、前記受付手段が第１撮影条件の入力を受け付け、前記算出手段が第２撮影条件を自動算出した後、前記第１の撮影動作及び第２の撮影動作を連続して行なわせるようにする。
【００３０】
このようにすれば、第１の撮影動作と第２の撮影動作とを間におけるタイムラグを短くすることができる。
【００３１】
また、好ましくは、充電された電荷に基づいて、被写体に光を照射する発光手段と、
前記制御手段に基づく前記第１の撮影動作又は前記第２の撮影動作中に、前記発光手段を制御する発光制御手段と、前記発光手段の充電状態に応じて、次回の発光が可能か否かを検知する検知手段と、前記検知手段で発光不可能を検知した場合、使用者からの指示を受け付ける指示受付手段と、をさらに備える。そして前記制御手段は、前記第１又は第２の撮影動作を行なった後であって、前記指示受付手段が指示を受け付けた場合、次の撮影動作を停止する。
【００３２】
このようにすれば、無駄な撮影動作を防止することができる。
【００３３】
また、好ましくは、表示手段と、前記制御手段によって前記撮像手段に生成させた第１画像データおよび第２画像データを、前記第１撮影条件を示す情報および第２撮影条件を示す情報と併せて、前記表示手段に表示させる表示制御手段と、をさらに備える。そして、前記第１及び第２の撮影条件は、複数の設定項目を有し、前記受付手段は、使用者による操作に応じて、前記表示手段に表示された第２撮影条件の複数の設定項目うち、少なくとも何れかの設定項目を、前記第１撮影条件として受け付ける。
【００３４】
このようにすれば、より適正な撮影条件で次回の第１撮影動作を行なうことができるようになる。
【発明の効果】
【００３５】
上記本発明の撮影装置によれば、１つの撮影開始信号で、手動で設定した設定項目についての撮影条件による撮影と、自動で設定した設定項目についての撮影条件による撮影と、を連続して行うことができる。これにより、手動で設定した設定項目についての撮影条件で撮影を行う場合であっても、シャッタチャンスを逃すといったことを、より軽減できる。
【発明を実施するための最良の形態】
【００３６】
（実施の形態１）
以下、本発明の一実施の形態に係る撮像装置を説明する。実施の形態１は、デジタルカメラ１に適用した例を説明する。以下、デジタルカメラ１の構成について図面を参照して説明する。
【００３７】
１．構成
以下、本発明の一実施の形態について、図面を参照して説明する。
【００３８】
図１は、本実施の形態に係るデジタルカメラ１の斜視図である。図２は、本実施の形態に係るデジタルカメラ１の構成を示すブロック図である。以下、具体的に構成を説明する。
【００３９】
光学系１１は、被写体からの光学信号を集光してＣＣＤイメージセンサ１２上に被写体像を形成する。光学系１１は、対物レンズ１１１とズームレンズ１１２とフォーカスレンズ１１３と絞り／シャッタ１１４とを含む。
【００４０】
ズームレンズ１１２は、ズーム駆動部１１５によって駆動され、被写体像の写る範囲（画角）を調整する。すなわち、ズームレンズ１１２は、焦点距離を調整可能である。フォーカスレンズ１１３は、フォーカス駆動部１１６によって駆動され、ピントの調節を行なう。ズーム駆動部１１５は、ズームレンズ１１２を移動するためのカム機構やカム機構を駆動するためのアクチュエータなどを備えて構成され、コントローラ１７からの制御に応じて、ズームレンズ１１２を駆動させる。フォーカス駆動部１１６は、フォーカスレンズ１１３を移動するためのカム機構やカム機構を駆動するためのアクチュエータなどを備えて構成され、コントローラ１７からの制御に応じて、フォーカスレンズ１１３を駆動させる。
【００４１】
また、絞り／シャッタ１１４は、絞りとメカシャッタを兼用した部材である。絞り／シャッタ１１４は、絞り／シャッタ駆動部１１７によって駆動される。絞りは、５枚の羽根によって構成され、光学系１１を通る光の量を調整するものである。また、メカシャッタは、開けたり閉じられたりして、ＣＣＤイメージセンサ１２に当たる光の量を時間的に調整するものである。絞り／シャッタ駆動部１１７は、カム機構やカム機構を駆動するためのアクチュエータなどを備えて構成され、コントローラ１７からの制御に応じて、絞り／シャッタを駆動する。
【００４２】
なお、本実施の形態では、絞りとメカシャッタを兼用した絞り／シャッタ１１４を備えるようにしたが、これに限られず、絞りとメカシャッタとを別々に設けるようにしても良い。この場合、例えば、メカシャッタは光学系内に設けず、絞りだけを光学系に設けるとよい。この際、メカシャッタは、光学系とＣＣＤイメージセンサの間に設けるとよい。このようにすれば、メカシャッタを光学系と別の部材で設けることができるので、例えば、レンズ交換タイプのデジタルカメラにも適用できるようになる。
【００４３】
ＣＣＤイメージセンサ１２は、光学系１１によって形成された被写体像を撮像して画像データを生成する。ＣＣＤイメージセンサ１２は、タイミングジェネレータ１２１から供給されるパルス信号に基づいて、被写体像を撮像し、画像データを生成する。タイミングジェネレータ１２１は、ＬＳＩなどの集積回路によって構成され、ＣＣＤイメージセンサ１２にパルス信号を供給する。ここでタイミングジェネレータ１２１がＣＣＤイメージセンサ１２に供給するパルス信号は、例えば、1秒間に３０回のフレーム読み出しパルス信号を供給する。これによって、ＣＣＤイメージセンサ１２では、３０分の１秒ごとのフレームの画像データを取得できるようになる。
【００４４】
ＡＤコンバータ１３は、ＣＣＤイメージセンサ１２で生成された画像データをデジタルデータに変換する。
【００４５】
画像処理部１４は、デジタルデータに変換された画像データに対して所定の処理を施す。所定の処理としては、ガンマ変換、ＹＣ変換、電子ズーム処理、圧縮処理、伸張処理などが考えられるが、これに限定されるものではない。
【００４６】
バッファメモリ１５は、画像処理部１４で画像処理を行う際、および、コントローラ１７で制御処理を行う際に、ワークメモリとして作用する。バッファメモリ１５は、例えば、DRAMなどで実現可能である。
【００４７】
フラッシュメモリ１６は、内蔵メモリとして用いられる。フラッシュメモリ１６は、画像データが画像処理された画像データの他に、コントローラ１７の制御のためのプログラムや設定値などを記憶可能である。
【００４８】
コントローラ１７は、デジタルカメラ１全体を制御する。コントローラ１７は、マイクロコンピュータで実現してもよく、ハードワイヤードな回路で実現しても良い。要するに、コントローラ１７は、自装置を制御できるものであればよい。なお、コントローラ１７の各種制御については、後述する。
【００４９】
カードスロット１８は、メモリカード１９を着脱するためのスロットである。カードスロット１８は、メモリカード１９を制御する機能を有するようにしてもよい。メモリカード１９は、フラッシュメモリなどを内蔵する。メモリカード１９は、画像処理部１４によって画像処理された画像データを格納可能である。
【００５０】
液晶モニタ２０は、画像データおよびデジタルカメラ１の各種設定等を表示する。なお、液晶モニタ２０に替えて、有機ELディスプレイなどを用いてもよい。また、本実施の形態では、液晶モニタ２０の上部にタッチパネル２２が設けられている。タッチパネル２２は、マトリクススイッチ等で構成可能である。マトリクススイッチは、液晶モニタ２０に表示された表示画像に、使用者がタッチ操作を行なった場合、タッチ操作に対応する位置の情報（操作信号）をコントローラ１７に出力する。なお、タッチパネルには、マトリクススイッチに替わる方式として、抵抗膜を設ける抵抗膜方式や圧電素子を取り付けたガラス板を設ける表面弾性波方式を取ることができる。なお、本実施の形態では、タッチパネル２２を備えるようにしたが、これに限られず、液晶モニタ２０だけで構成するようにしてもよい。この場合、使用者が操作部を操作することによって、デジタルカメラに対する各種操作を受け付ける。
【００５１】
操作部２１は、デジタルカメラ１の外装に取り付けられた操作部材の総称である。操作部２１としては、十字キーや押下釦等が考えられる。
【００５２】
ストロボ２３は、デジタルカメラ１に取り付けられたいわゆるフラッシュライトである。ストロボ２３は、ユーザの意図や自動露出時のカメラの判断によって発光させることで、暗い環境下でもより明るい写真を撮像することを補助する役割を持つ。ストロボ２３は、コントローラ１７からユーザの意図や自動露出時の発光命令を受けて発光する。また、ストロボ２３は、現在の充電状況をコントローラ１７に出力する。これによって、コントローラ１７は、充電状況に応じて、発光可能かどうかの判断を行う。なお、ストロボ２３はデジタルカメラ１に内蔵された方式であるが、外部に別の電源を持つフラッシュライトとのアタッチメントを設けることで、外部の発光機器を利用可能にすることも出来る。
【００５３】
本実施の形態では、操作部の一つの押下釦として、シャッタスイッチ２１１がある。シャッタスイッチ２１１は、デジタルカメラ１の上面に設けられるものであり、使用者からの半押しおよび全押しを検知できるようにしたものである。使用者によって半押し又は全押し操作が行なわれると、シャッタスイッチ２１１は操作に応じた操作信号をコントローラ１７に出力する。すなわち、シャッタスイッチ２１１は、合焦指示を受けつけるように構成されている。
【００５４】
また本実施の形態では、操作部２１の一つの部材としてズームレバー２１２が備えられている。ズームレバー２１２は、使用者からの操作に応じて、デジタルカメラ１の焦点距離を変更するものである。ズームレバー２１２は、使用者に操作されると、操作信号をコントローラ１７に出力する。これによって、コントローラ１７は、ズームレバー１１２に対して焦点距離を変更するための制御信号を送ることができる。
【００５５】
２．動作
以上のように構成されたデジタルカメラ１の動作を説明する。デジタルカメラ１は、1回の撮影動作に対して、マニュアル撮影と自動撮影を連続して行う。これによって得られた二枚の静止画画像を、液晶モニタ２０に表示させる。これと共に、露出パラメータの差異を併せて表示する。つまり、静止画撮影と再生（比較再生）の２つの段階がある。
【００５６】
静止画撮影について、図３のフローチャートを用いて説明を行う。まず、コントローラ１７は、使用者による手動での露出パラメータの設定を受け付ける（Ｓ１）。具体的には、液晶モニタ２０に、露出パラメータを設定するための画像を表示させる。そして、使用者に、十字キーなどを操作させることで、露出パラメータを選択して、設定させることができる。なお、実施の形態１の露出パラメータは、露出に関するものであり、例えば、絞り値やシャッタスピード、及び、ＩＳＯ感度が考えられる。絞り値やシャッタスピードの調整は、コントローラ１７によって、絞り／シャッタ１１４を制御することで可能になる。また、ＩＳＯ感度の調整は、コントローラ１７によって、画像処理部１４を制御することで可能になる。これによって、使用者によって設定された露出パラメータに、デジタルカメラ１が設定される。この際コントローラ１７は、手動で設定された露出パラメータを、バッファメモリ１５に記憶する。
【００５７】
コントローラ１７は、露出パラメータが設定された後、シャッタスイッチ２１１の半押を受け付ける（Ｓ２）。コントローラ１７は、シャッタスイッチ２１１が半押しされると、フォーカス駆動部１１６を制御して、フォーカスレンズ１１３を駆動させ、自動合焦を行なう（Ｓ３）。なお、マニュアル撮影においては、フォーカスについても手動で設定する方法もあるが、ここでは自動合焦するものとする。もちろん、本実施の形態はフォーカス調整を自動合焦に限るものではない。手動で合焦させる場合については、実施の形態２で詳述する。
【００５８】
コントローラ１７は、自動合焦後、シャッタスイッチ２１１の全押しを受け付ける（Ｓ４）。コントローラ１７は、全押しを受け付けると、ＣＣＤイメージセンサ１２に撮像を行なわせる（Ｓ５）。この際、使用者によって設定された露出パラメータで撮影されることになる。撮像された画像は、画像処理部１４にて画像処理された後に、メモリカード１９に格納され、画像データとして記録される（Ｓ６）。なお、コントローラ１７は、撮影された画像を画像データ本体として、使用者によって手動で設定された露出パラメータを画像データヘッダとして、記憶するとよい。
【００５９】
続けて、自動撮影を行う。まず、コントローラ１７は、ＣＣＤイメージセンサ１２上に集光される光量から、最適な露出を得られるよう露出パラメータを自動で算出する。具体的には、コントローラ１７は、ＣＣＤイメージセンサによって生成される画像データに基づいて、露出パラメータを自動で算出する。自動算出された露出パラメータは、コントローラ１７によってバッファメモリ１５に記憶される。そしてコントローラ１７は、算出された露出パラメータに応じて、絞り／シャッタ１１４、及び、画像処理部１４を調整する（Ｓ７）。これによって、デジタルカメラの露出が自動制御される。
【００６０】
なお、ステップＳ７の自動露出制御は、ステップＳ５でＣＣＤイメージセンサ１２から生成された画像データを用いて、露出制御を行ってもよい。このようにすれば、自動露出制御のための新たな画像データを生成する必要がなくなるため、次の撮影動作までのタイムラグを短くすることができる。
【００６１】
また、手動で設定された露出パラメータに応じて、自動での露出パラメータを調整できるので、次の撮影動作までタイムラグを短くすることができる。例えば、手動の露出パラメータから自動の露出パラメータへ調整する際、絞り値を調整せず、シャッタスピードやＩＳＯ感度のようなソフト的な調整で対応するようにすればよい。このようにすれば、マニュアル撮影からオート（自動）撮影に移る際、メカによる調整をなくすことができる。
【００６２】
その後、コントローラ１７は、マニュアル撮影時と同様に自動合焦を行う（Ｓ８）。そして、コントローラ１７は、ＣＣＤイメージセンサ１２を制御して、撮像を行なわせる（Ｓ９）。
【００６３】
なお、マニュアル撮影時と自動撮影時の被写体は同じものを想定しているため、自動撮影時の自動合焦は省略してもよい。自動合焦を省略することにより、マニュアル撮影時と自動撮影時の時間差を縮めることが出来るため、被写体の時間的変化を極力抑えることが期待できる。その反面、マニュアル撮影時の露出設定が適正であるとは限らないため、自動合焦をＣＣＤイメージセンサ１２に取り込まれた映像を利用して行うカメラの場合、マニュアル撮影時の自動合焦結果が適正である保証はない。よって、ステップＳ２の手動露出設定時にＣＣＤイメージセンサ１２に取り込まれる映像と、ステップＳ７の自動露出制御時にＣＣＤイメージセンサ１２に取り込まれる映像とで、明るさに一定以上の差がない時は、手動露出設定が適正であったと判断し、自動合焦をスキップするようにしてもよい。
【００６４】
図３に戻って、コントローラ１７は、撮像させた画像を、マニュアル撮影時と同様にメモリカード１９に記録する（Ｓ１０）。なお、コントローラ１７は、撮影された画像を画像データ本体として、自動算出された露出パラメータを画像データヘッダとして、記憶するとよい。
【００６５】
なお、ここでマニュアル撮影と自動撮影とで、それぞれの撮影直後に画像データをメモリカード１９に格納している。しかし、これに限らず、マニュアル撮影モードから得られた画像データを一時バッファメモリ１５などに格納しておき、自動撮影モードから得られた画像データがメモリカード１９に格納されるタイミングに、このマニュアル撮影で得られた画像データをメモリカード１９に格納するようにしてもよい。そうすることによって、Ｓ６にかかる処理時間が軽減され、マニュアル撮影モードと自動撮影モードの間の撮影タイムラグを縮めることが出来るため、被写体の時間的変化を極力小さくすることが期待できる。
【００６６】
次に再生（比較再生）動作について、図４のフローチャートを用いて説明を行う。本実施の形態では、比較再生は、静止画を二枚連続で撮影後、直ちにその二枚を比較・再生させる。比較再生画面のイメージ図を図５に示す。まず、コントローラ１７は、メモリカード１９に格納されている画像データから、表示画像を生成する（Ｔ１）。表示画像は、図５のようにマニュアル撮影で得られた画像データと自動撮影で得られた画像データを一覧するために、適切な大きさで生成する。なお、図５では二枚の表示画像は同じ大きさであるが、マニュアル撮影モードでの結果をより確認しやすいように、比較する画像の大きさを変えてもよい。次に、コントローラ１７は、比較パラメータを抽出する（Ｔ２）。図５では、比較パラメータとしてそれぞれの撮影時の絞り値５１、シャッタスピード５２、ＩＳＯ感度５３を、露出パラメータとして表示しているが、この限りではない。また、ユーザ自身が差異を比べたい露出パラメータを指定して、その指定された露出パラメータのみを表示するようにしてもよい。比較を行う露出パラメータについては、メモリカード１９に格納されている画像データのヘッダ中に記録されている。例えば、図６のような形で記録されている。
【００６７】
コントローラ１７は、画像データヘッダ６１から抽出された比較パラメータに差異があるか否かを判別する（Ｔ３）。コントローラ１７は、比較パラメータに差異があった場合、その項目を強調した画像を、表示画像に重ねて、液晶モニタ２０に表示させる（Ｔ４）。図５では、絞り値５１とシャッタスピード５２が異なっているので、他の項目と比べて太字で表示している。もちろん、差異の強調の仕方は太字に限らない。
【００６８】
一方、コントローラ１７は、比較パラメータに差異がなかった場合、図７のように、マニュアル撮影時と自動撮影時の露出パラメータが同じであった旨を示す画像を、表示画像に重ねて、液晶モニタ２０に表示させる（Ｔ５）。なお、ステップＴ３において、差異がなかった場合については、二枚目の自動撮影モードによって撮影された画像は不要である可能性が高い。その場合の工夫については、実施の形態３にて後述する。
【００６９】
図４に戻って、コントローラ１７は、抽出・比較されたパラメータについて、そのパラメータ間に差異があってもなくても、そのパラメータ自身の意味をユーザの必要に応じて表示させる（Ｔ６）。このようにすることにより、そのパラメータの意味が確認できるのと同時に、画像上に現れる違いも同時に確認できるため、パラメータ自体の効果を知り、撮影技術を向上させる上で大変有益である。例えば、液晶モニタ２０に表示されたシャッタスピードという文言について、タッチパネル２２を用いてタッチ操作を行うことにより、図８のようなシャッタスピードに関する説明文言が液晶モニタ２０上に表示されるようにする。
【００７０】
そして、コントローラ１７は、ユーザが操作部２１にある終了釦を押下することにより、任意のタイミングで比較再生は終了させる（Ｔ７）。また、ここでは撮影後、直ちに比較再生を行うようにしているが、撮影だけを纏めて何度も行って、後からそれぞれを比較再生行うという使い方も想定される。その場合は、画像データヘッダ６１にＩＤを記録するようにすることによって、対となる二枚の画像をいつでも比較再生できるようになる。
【００７１】
３．実施の形態１と本発明の対応関係
デジタルカメラ１は、撮像装置の一例である。光学系１１は、光学系の一例である。ＣＣＤイメージセンサ１２は、撮像手段の一例である。液晶モニタ２０は、表示手段の一例である。コントローラ１７は、受付手段、算出手段、取得手段、制御手段及び表示制御手段の一例である。バッファメモリ１５は、第１の記憶媒体の一例である。メモリカード１９は、第２の記憶媒体の一例である。露出パラメータは、本発明の撮影条件の一例である。絞り値、シャッタスピード、ＩＳＯ感度は、本発明の設定項目の一例である。
【００７２】
コントローラ１７は、判定手段、記憶手段の一例である。
【００７３】
４．まとめ
デジタルカメラ１は、被写体像を形成する光学系１１と、光学系によって形成された被写体像を撮像して、画像データを生成するＣＣＤイメージセンサ１２と、デジタルカメラ１に設けられた操作部２１（又はタッチパネル２２）に対する任意の操作に応じてマニュアル撮影の露出パラメータを受け付けるコントローラ１７と、撮影環境に応じて自動撮影の露出パラメータを自動算出するコントローラ１７と、シャッタスイッチ２１１から全押信号を取得するコントローラ１７と、全押信号を取得した場合、マニュアル撮影の露出パラメータでデジタルカメラ１を設定した後、ＣＣＤイメージセンサ１２で画像データを生成するマニュアル撮影動作と、自動撮影の露出パラメータでデジタルカメラ１を設定した後、ＣＣＤイメージセンサ１２で画像データを生成する自動撮影動作と、を連続して行なうように制御するコントローラ１７とを備える。
【００７４】
このようにすれば、使用者による１回の撮影開始動作で、手動で設定した露出パラメータの撮影と、自動で設定した露出パラメータの撮影と、を行うことができる。したがって、手動で設定した露出パラメータの撮影結果が好ましくない場合であっても、自動で設定した露出パラメータの撮影結果を得ることができるため、使用者はシャッタチャンスを逃すといったことを、より軽減できる。また、使用者は、オリジナリティある撮影結果も得ることができる。
【００７５】
また、液晶モニタ２０と、コントローラ１７によってＣＣＤイメージセンサ１２に生成させた画像データ（マニュアル撮影の撮影結果）および画像データ（自動撮影の撮影結果）を、マニュアル撮影の露出パラメータを示す情報および自動撮影の露出パラメータを示す情報と併せて、液晶モニタ２０に表示させるコントローラ１７と、をさらに備える。
【００７６】
このようにすれば、得られた複数の撮影結果から、使用者が手動で設定した露出パラメータと、撮像装置が自動で設定した露出パラメータを表示できる。したがって、使用者は、自己が設定した露出パラメータと、デジタルカメラが設定した露出パラメータを確認することができる。これによって、使用者は、手動で設定した露出パラメータの撮影結果が好ましくない場合、デジタルカメラが設定した露出パラメータを確認することで、どの露出パラメータの設定に問題があったかを容易に知ることができる。つまり、このデジタルカメラは、使用者の撮影技術の向上を手助けすることができる。
【００７７】
（実施の形態２）
本発明の一実施の形態に係る撮像装置を説明する。実施の形態２も、デジタルカメラ１に適用した例を説明する。以下、デジタルカメラ１の構成について図面を参照して説明する。
【００７８】
１．構成
実施の形態２のデジタルカメラ１の構成は、実施の形態１と同様であるため、説明は省略する。
【００７９】
２．動作
以上のように構成されたデジタルカメラ１の動作を説明する。実施の形態２は、実施の形態１同様に、マニュアル撮影と自動撮影を連続して行う。また、これによって得られた二枚の画像について、合焦状態の差異を明確にして、再生する。なお、実施の形態１との違いは、マニュアル撮影において、合焦位置もマニュアル操作で決定する点である。
【００８０】
静止画撮影について、図９のフローチャートを用いて、実施の形態１との相違点のみを説明する。実施の形態１ではシャッタスイッチ２１１を半押しすることで自動合焦を行ったが、ここではユーザが操作部２１を操作することにより、コントローラ１７を通じてフォーカス駆動部１１６を駆動し、フォーカスレンズ１１３を任意の位置に移動させることで、手動でピントを調整する（Ｕ２）。つまり、コントローラ１７は、使用者の操作に応じて、フォーカスレンズ１１３を調整する。なお、ここでは操作部２１を用いてピント調整する例を示しているが、タッチパネル２２を用いてもよいし、光学系１１にいわゆるフォーカスリングを取り付けて実現してもよい。
【００８１】
コントローラ１７は、合焦後、シャッタスイッチ２１１の全押しを受け付ける（Ｕ３）。コントローラ１７は、全押しを受け付けると、ＣＣＤイメージセンサ１２に撮像を行わせる（Ｕ４）。コントローラ１７は、この撮影結果を画像データとしてメモリカード１９に格納する（Ｕ５）。なお、実施の形態１同様、ここではバッファメモリ１５などに一旦格納しておいて、後述の自動撮影モードの画像データと併せて、メモリカード１９に格納するようにしてもよい。以降、自動撮影については、実施の形態１と同様であるので説明は省略する。ただし、自動撮影における自動合焦（Ｕ７）については、ユーザの設定に応じてしないようにしてもよい。これは、パラメータ比較を行う対象を露出条件に絞った使い方をするユーザにとっては、合焦位置についてはマニュアル撮影時と同等にしたいという要望が想定されるためである。また、自動合焦（Ｕ７）を行わないことによって、マニュアル撮影と自動撮影との撮影タイムラグを縮めることが出来るため、被写体の時間的変化を極力小さくすることも同時に期待できる。
【００８２】
次の比較再生についても、実施の形態１との違いのみを説明する。フォーカス位置がマニュアル撮影と自動撮影の間で大きく変わる可能性があることから、比較ズーム再生機能を設ける。コントローラ１７は、比較再生中（Ｖ６）にユーザによってズームレバー２１２が操作された場合（Ｖ７）、図１０に示すように、再生中の二枚の画像を同時に拡大表示（Ｖ８）する。画像拡大は中央中心に拡大するが、拡大表示後は操作部２１などを通じて、拡大位置をユーザが任意の位置に移動することが出来る。また、自動撮影時に自動合焦を行っている場合は、その際に画像内の合焦位置座標を、画像データヘッダ６１に書き込んでおくことにより、自動的に記録された合焦位置中心に拡大するようにしてもよい。その際は、マニュアル撮影で生成した画像についても同じ位置で拡大するようにしておくことで、自動合焦と手動合焦の差を簡単かつ明確に比較することが出来る。その様子を図１１に示す。ズーム位置枠５５は画像のどの位置をズームしているかを示しており、ズーム倍率５６は画像が通常の比較再生時と比べて何倍で表示されているのかを示している。
【００８３】
３．実施の形態２と本発明の対応関係
上記実施の形態と同じ部分は省略する。合焦位置は、本発明の撮影条件の一例である。
【００８４】
（実施の形態３）
本発明の一実施の形態に係る撮像装置を説明する。実施の形態３も、デジタルカメラ１に適用した例を説明する。以下、デジタルカメラ１の構成について図面を参照して説明する。
【００８５】
１．構成
実施の形態３に係るデジタルカメラ１の構成は、実施の形態１と同様であるため、説明は省略する。
【００８６】
２．動作
以上のように構成されたデジタルカメラ１の動作を説明する。本実施の形態では、実施の形態１・２と同様に、マニュアル撮影と自動撮影を連続して行う。また、これによって得られた二枚の画像について、パラメータの差異を併せて表示する。実施の形態３の実施の形態２との違いは、自動露出制御、及び自動合焦を行うタイミングがマニュアル撮影の前にある点である。
【００８７】
静止画撮影について、図１２のフローチャートを用いて、実施の形態２との相違点のみを説明する。露出パラメータ手動設定（Ｗ１）、手動合焦（Ｗ２）を行った後に、シャッタスイッチ２１１を半押し（Ｗ３）すると、自動露出制御（Ｗ４）及び自動合焦（Ｗ５）を行う。この時の露出と合焦位置のパラメータをバッファメモリ１５などに記憶しておき、手動合焦位置呼び出し（Ｗ６）にて、Ｗ２でユーザが合わせたピント位置にフォーカスレンズ１１３を戻す。その後、ユーザがシャッタスイッチ２１１を全押し（Ｗ７）すると、撮像（Ｗ８）及び画像データ記録（Ｗ９）が行われる。次に、自動撮影に移るが、Ｗ４及びＷ５にて既に露出やフォーカス位置などのパラメータは算出されているので、その算出値を用いて制御する（Ｗ１０、Ｗ１１）ことにより、高速に自動撮影モードでの撮像（Ｗ１２）及び画像データ記録（Ｗ１３）を行うことが出来る。本実施形態３を用いることによって、半押しから撮影までの時間については実施形態２より長くなってしまうが、マニュアル撮影と自動撮影の撮影タイムラグを縮めることが出来るため、被写体の時間的変化を極力抑えることが期待できる。また、もし自動撮影で用いる露出及びフォーカス位置の算出値の何れかもしくは全てが、マニュアル撮影モードにおける設定値と一致していた場合、自動撮影モードの撮影をスキップするようにしてもよい。この際には図１３のように、比較再生時に自動撮影モードでの撮影が行われなかった旨を表示するとよい。
【００８８】
（実施の形態４）
本発明の一実施の形態に係る撮像装置を説明する。実施の形態４も、デジタルカメラ１に適用した例を説明する。以下、デジタルカメラ１の構成について図面を参照して説明する。
【００８９】
１．構成
実施の形態４に係るデジタルカメラ１の構成は、実施の形態１と同様であるため、説明は省略する。
【００９０】
２．動作
以上のように構成されたデジタルカメラ１の動作を説明する。本実施の形態においては、実施の形態１〜３と同様にマニュアル撮影と自動撮影を連続して行うが、その際にストロボ発光を伴う場合の制御について詳述する。
【００９１】
ストロボ発光は、例えば、マニュアル撮影の際にはユーザの意図により行われ、オート撮影の場合には自動露出の判断により行われる。しかし、ストロボ発光には多くの電力を消費するため、場合によっては連続で発光することが出来ない。マニュアル撮影にて電力を消費した結果、オート撮影にて発光量が足りなくなってしまう場合、以下のような解決策が考えられる。
【００９２】
ストロボ発光時の静止画撮影について、図１４のフローチャートを用いて説明する。なお、便宜上実施の形態１に従って説明するが、実施の形態２、３にも同様に適用出来るものである。また、実施の形態１との違いのみ詳述する。
【００９３】
コントローラ１７は、使用者による手動でのパラメータ設定を受け付ける（Ｘ１）。コントローラ１７は、露出パラメータが設定された後、シャッタスイッチ２１１の半押しを受けつける（Ｘ２）。コントローラ１７は、半押しを受け付けると、自動合焦を行う（Ｘ３）。その後、コントローラ１７は、シャッタスイッチ２１１の全押しを受け付ける（Ｘ４）。コントローラ１７は、シャッタスイッチ２１１が全押しを受け付けると、使用者がストロボ２３を発光させるように設定したか否かを判定する（Ｘ５）。使用者がストロボ２３を発光させるようにするための設定は、ステップＸ１で受け付ける。つまり、使用者による手動でのパラメータ設定を受け付ける際、ストロボ発光を行うか否かの設定も受け付ける。
【００９４】
コントローラ１７は、ストロボ発光させるように設定されていた場合、ストロボ２３に発光をさせる（Ｘ６）。コントローラ１７は、発光の有無に関わらず、ＣＣＤイメージセンサ１２に撮像を行なわせる（Ｘ７）。コントローラ１７は、撮像された画像データをメモリカード１９に記録する（Ｘ８）。
【００９５】
次に、コントローラ１７は、自動露出制御を行なう（Ｘ９）。そしてコントローラ１７は、自動合焦を行なう（Ｘ１０）。コントローラ１７は、自動露出制御の結果、ストロボ発光が必要かどうかを判定する（Ｘ１１）。ここで自動露出制御の結果、ストロボ発光が必要になる場合とは、自動露出制御によって、被写体の露出状態が最適な状態にならないことをいう。なお、最適な状態とは、特に限定はなく、従来技術であるため、説明を省略する。
【００９６】
コントローラ１７は、ストロボ発光が必要な場合、ストロボ発光が直ぐに可能か否かを判定する（Ｘ１２）。コントローラ１７は、ストロボ発光が可能である場合、オート撮影を行う（Ｘ１３）。また、コントローラ１７は、撮影された画像データを、メモリカード１９に記憶する（Ｘ１４）。この後、コントローラ１７は、比較再生動作に移行する。
【００９７】
一方、コントローラ１７は、ストロボ発光が不可能である場合、撮影中止を促す表示を行なう。そして、コントローラ１７は、使用者からの中止操作を受け付ける（Ｘ１５）。コントローラ１７は、使用者からの中止操作を受け付けた場合、オート撮影を中止して、比較再生動作に移行する。一方、コントローラ１７は、使用者からの中止操作を受け付けない場合、ストロボ発光が可能になったか否かを判定する（Ｘ１４）。
【００９８】
ユーザの中止操作は、液晶モニタ２０に中止を促す画面を表示し、タッチパネル２２で、この表示画面に対する操作を受け付けることで、検知するようにすればよい。すなわち、コントローラ１７は、液晶モニタ２０に中止を促す画面を表示させる。タッチパネル２２は、ユーザからの操作を受け付けると、操作指示をコントローラ１７に出力する。コントローラ１７は、中止を促す画面を表示した際に、操作指示を受け付けると、中止操作を受け付けたと検知する。なお、これに限られず、デジタルカメラに設けられる操作部材で受け付けるようにしてもよい。
【００９９】
ここで上記のように撮影を中止させる理由は、以下の通りである。最初のマニュアル撮影時のストロボ発光量によっては、２回目のストロボ発光がすぐには出来ない場合がある。その場合は、ストロボ２３に必要電力が充電されるまで撮影を保留して待つ。しかし、このタイミングでストロボ２３が充電されるのを待ってしまうと、１枚目と２枚目のタイムラグが大きくなってしまう。そこで、本実施の形態は、待てない場合の対策として、2枚目の撮影をユーザの中止操作に応じて中止する。中止した場合は、図１３のように自動撮影が行われなかった旨を表示するとよい。コントローラ１７は、中止を行わず、充電を待った場合、充電され次第オート撮影（Ｘ１３）を行い、画像データを記録する（Ｘ１４）ことになる。
また、ストロボ充電を待てない場合の対策として、ストロボ２３を発光しないで撮影するか、現在の電力で可能な限りの発光を行うようにしてもよい。どちらの場合も、Ｘ１１で発光が必要と判定されているため、例えばシャッタスピードをより遅くすることなどにより、ストロボ発光なしで対応するか、もしくは少量の発光でも適正な露出にて撮像を行えるように制御するとよい。
【０１００】
３．実施の形態４と本発明の対応関係
上記実施の形態と同じ部分は省略する。ストロボ２３は、本発明の発光手段の一例である。また、コントローラ１７は、本発明の発光制御手段、検知手段の一例である。タッチパネル２２は、本発明の指示受付手段の一例である。
【０１０１】
（実施の形態５）
本発明の一実施の形態に係る撮像装置を説明する。実施の形態５も、デジタルカメラ１に適用した例を説明する。以下、デジタルカメラ１の構成について図面を参照して説明する。
【０１０２】
１．構成
実施の形態４に係るデジタルカメラ１の構成は、実施の形態１と同様であるため、説明は省略する。
【０１０３】
２．動作
以上のように構成されたデジタルカメラ１の動作を説明する。本実施の形態においては、実施の形態１〜４と同様にマニュアル撮影と自動撮影を連続して行う。そして、連続撮影後の比較再生時に表示されたオート撮影時のパラメータ設定を、次のマニュアル撮影に容易に使用できるようにする。例えば、マニュアル撮影とオート撮影での露出パラメータが大きく異なった場合において、次の撮影時にはオート撮影のパラメータを参考にマニュアル撮影をすることが出来れば、より適正に近いパラメータでの撮影が容易に可能である。この実施形態は、特にマニュアル撮影に慣れていない撮影者の練習時に効果的である。
【０１０４】
図１５は、本実施の形態の比較再生画面例である。図１５において、異なるパラメータが強調表示されているのは図５と同様である。しかし、図１５では、例えばオート撮影のシャッタスピードをユーザにチェック（選択）させることで、次のマニュアル撮影のシャッタスピードに使用させる。つまり、コントローラ１７は、図１５のような画像データを液晶モニタ２０に表示させ、オート露出パラメータの横のチェックボックス５７を、例えばタッチパネル２２を用いて操作させる。コントローラ１７は、チェックボックス５７に該当する箇所がタッチされた場合、チェックボックス５７及びシャッタスピード５８が変更された、図１６のような画像を、液晶モニタ２０に表示させる。
【０１０５】
なお、図１５には、全てのパラメータを一括で反映するためのチェックボックス５９を設けている。したがって、コントローラ１７は、チェックボックス５９がタッチパネル２２を用いて操作された場合、全ての露出パラメータをオート撮影と同様に設定することが出来る。ここでは便宜上、チェックボックス５７及びチェックボックス５９を用いた画像を液晶モニタに表示させるようにし、タッチパネル２２を用いて操作を受け付けるようにした。しかし、ユーザインタフェースは、これに限定されない。
【０１０６】
（他の実施の形態）
本発明の実施の形態として、実施の形態１を例示した。しかし、本発明は、上記実施の形態に限られず、他の実施の形態においても実現可能である。
【０１０７】
上記実施の形態では、ＣＣＤイメージセンサ１２を用いた例を説明した。しかし、これに限られず、ＣＭＯＳイメージセンサ等の撮像素子を用いることもできる。ＣＭＯＳイメージセンサで構成すれば、省電力に構成できる。
【０１０８】
また、上記実施の形態では、マニュアル撮影後に、自動撮影を行う場合を例にして動作の説明を行なった。しかし、これに限られず、自動撮影を行った後に、マニュアル撮影を行うようにしてもよい。
【０１０９】
また、本発明の撮影条件として、実施の形態１では、露出パラメータ、実施の形態２では、焦点位置を用いて説明を行なった。しかし、これに限られず、撮影条件には、ホワイトバランス等を用いることもできる。つまり、撮影条件は、露出パラメータ、及び、合焦位置、ホワイトバランス等のうち、何れか１つを含む条件であればよい。
【０１１０】
また、本実施の形態１では、自動撮影として、露出パラメータ（撮影条件の一例）の全ての設定項目（絞りとシャッタスピード）を自動算出するようにした。しかし、これに限られず、自動撮影は、一部の設定項目についての自動撮影であってもかまわない。つまり、一般的なデジタルカメラで用いられているような、絞り優先の撮影動作やシャッタスピード優先の撮影動作を、手動の撮影動作と連続して行なうようにしてもよい。絞り優先の場合、ユーザによって絞り値が指定されて、シャッタスピードが自動算出される。シャッタスピード優先の場合、ユーザによってシャッタスピードが指定されて、絞り値が自動算出される。これによって、一部の設定項目について露出パラメータを自動算出できる。
【０１１１】
すなわち、本発明は、上記実施の形態に限られず、種々の形態で実現可能である。
（付記）
被写体像を形成する光学系と、
前記形成された被写体像を撮像して、画像データを生成する撮像手段と、
自装置に設けられた操作部材に対する任意の操作に応じて第１撮影条件を受け付ける受付手段と、
撮影環境に応じて第２撮影条件を自動算出する算出手段と、
撮影開始を示す情報を取得する取得手段と、
当該撮影開始を示す情報を取得した場合、前記受け付けた第１撮影条件で自装置を設定した後、前記撮像手段で第１画像データを生成する第１の撮影動作と、前記算出した第２撮影条件で自装置を設定した後、前記撮像手段で第２画像データを生成する第２の撮影動作と、を連続して行なうように制御する制御手段と、
を備える撮像装置。
【産業上の利用可能性】
【０１１２】
本発明は、デジタルスチルカメラ、静止画撮影機能付きムービー及びカメラ機能付き携帯電話等に利用できる。
【図面の簡単な説明】
【０１１３】
【図１】本発明の実施の形態1に係るデジタルカメラの斜視図
【図２】本発明の実施の形態1に係るデジタルカメラの構成を説明するためのブロック図
【図３】本発明の実施の形態1に係る静止画撮影処理のフローチャート
【図４】本発明の実施の形態1に係る比較再生処理のフローチャート
【図５】本発明の実施の形態1に係る比較再生時の画面イメージ図
【図６】本発明の実施の形態1に係る画像データの配置例を示す図
【図７】本発明の実施の形態1に係る比較パラメータ一致時の表示例を示す図
【図８】本発明の実施の形態1に係るパラメータについての解説表示例を示す図
【図９】本発明の実施の形態２に係る静止画撮影処理のフローチャート
【図１０】本発明の実施の形態２に係る比較再生処理のフローチャート
【図１１】本発明の実施の形態２に係る比較ズーム再生処理のイメージ図
【図１２】本発明の実施の形態３に係る静止画撮影処理のフローチャート
【図１３】本発明の実施の形態３に係る自動撮影モードスキップ時の比較再生画面イメージ図
【図１４】本発明の実施の形態４に係る静止画撮影処理のフローチャート
【図１５】本発明の実施の形態５に係る比較再生画面（パラメータ選択前）イメージ図
【図１６】本発明の実施の形態５に係る比較再生画面（パラメータ選択後）イメージ図
【符号の説明】
【０１１４】
１    デジタルカメラ
１１    光学系
１１１    対物レンズ
１１２    ズームレンズ
１１３    フォーカスレンズ
１１４    絞り／シャッタ
１１５    ズーム駆動部
１１６    フォーカス駆動部
１１７    絞り／シャッタ駆動部
１２    ＣＣＤイメージセンサ
１２１    タイミングジェネレータ
１３    ＡＤコンバータ
１４    画像処理部
１５    バッファメモリ
１６    フラッシュメモリ
１７    コントローラ
１８    カードスロット
１９    メモリカード
２０    液晶モニタ
２１    操作部
２１１    シャッタスイッチ
２１２    ズームリング
２２    タッチパネル
２３    ストロボ
【図１】
2010118882.tif 000003
【図２】
2010118882.tif 000004
【図３】
2010118882.tif 000005
【図４】
2010118882.tif 000006
【図５】
2010118882.tif 000007
【図６】
2010118882.tif 000008
【図７】
2010118882.tif 000009
【図８】
2010118882.tif 000010
【図９】
2010118882.tif 000011
【図１０】
2010118882.tif 000012
【図１１】
2010118882.tif 000013
【図１２】
2010118882.tif 000014
【図１３】
2010118882.tif 000015
【図１４】
2010118882.tif 000016
【図１５】
2010118882.tif 000017
【図１６】
2010118882.tif 000018
【手続補正書】
【提出日】平成21年8月27日(2009.8.27)
【手続補正１】
【補正対象書類名】特許請求の範囲
【補正対象項目名】全文
【補正方法】変更
【補正の内容】
【特許請求の範囲】
【請求項１】
被写体像を形成する光学系と、
前記形成された被写体像を撮像して、画像データを生成する撮像手段と、
使用者による操作に応じて、ある設定項目について第１撮影条件の入力を受け付ける受付手段と、
撮影環境に応じて、前記設定項目について第２撮影条件を自動算出する算出手段と、
撮影開始を示す情報を取得する取得手段と、
前記取得手段が撮影開始を示す情報を取得した場合、
前記受付手段で受け付けた撮影条件で自装置が設定された状態で、前記撮像手段で第１画像データを生成する第１の撮影動作と、
前記算出手段で自動算出した撮影条件で自装置が設定された状態で、前記撮像手段で第２画像データを生成する第２の撮影動作と、
を連続して行なうように制御する制御手段と、
を備える撮像装置。
【請求項２】
表示手段と、
前記撮像手段で生成した第１画像データに基づく画像および第２画像データに基づく画像を、前記第１撮影条件を示す情報および第２撮影条件を示す情報と併せて、前記表示手段に表示させる表示制御手段と、
をさらに備える請求項１に記載の撮像装置。
【請求項３】
前記算出手段は、前記受付手段で受け付けた第１撮影条件に基づいて、前記第２撮影条件を自動算出する、
請求項１に記載の撮像装置。
【請求項４】
前記制御手段は、前記第１の撮影動作を行なわせた後、前記第２の撮影動作を行なわせる、
請求項１に記載の撮像装置。
【請求項５】
前記制御手段は、前記第１の撮影動作を行なわせた後、前記第２の撮影動作を行なわせ、
前記算出手段は、前記第１の撮影動作によって生成された第１画像データに基づいて、前記第２撮影条件を自動算出する、
請求項１に記載の撮像装置。
【請求項６】
前記受付手段で受け付けた第１撮影条件と、前記算出手段で自動算出した第２撮影条件との関係に応じて、前記制御手段の連続した撮影動作を行なうか否かを判定する判定手段をさらに備え、
前記制御手段は、前記判別手段が連続した撮影動作を行なうと判定した場合、前記第１の撮影動作と前記第２の撮影動作を連続して行なわせる、
請求項１に記載の撮像装置。
【請求項７】
前記第１及び第２撮影条件は、少なくとも露出に関する情報、焦点に関する情報、及び、画像データの色に関する情報のうち、何れか１つの設定項目を含む、
請求項１に記載の撮像装置。
【請求項８】
表示手段と、
前記制御手段によって前記撮像手段に生成させた第１画像データおよび第２画像データを、前記表示手段に表示させる表示制御手段と、をさらに備え、
前記第１及び第２撮影条件は、焦点に関する情報の設定項目を含み、
前記表示制御手段は、前記第１及び第２画像データを表示させる際、第１及び第２画像データの一部の拡大画像を表示させるようにする、
請求項１に記載の撮像装置。
【請求項９】
第１の記憶媒体と、
第１の記憶媒体よりも記憶速度が遅い第２の記憶媒体と、
前記生成された第１又は第２画像データを、前記第１の記憶媒体又は前記第２の記憶媒体に記憶する記憶手段と、をさらに備え、
前記記憶手段は、
前記第１又は第２画像データの何れかの画像データが前記撮像手段から生成された場合、当該画像データを前記第１の記憶媒体に記憶し、
当該記憶された画像データと異なる画像データが生成された場合、当該生成された画像データを前記第２の記憶媒体に記憶するとともに、前記第１の記憶媒体に記憶された画像データを、当該第１の記憶媒体から読み出して前記第２の記憶媒体に記憶する、
請求項１に記載の撮像装置。
【請求項１０】
前記制御手段は、前記受付手段が第１撮影条件の入力を受け付け、前記算出手段が第２撮影条件を自動算出した後、前記第１の撮影動作及び第２の撮影動作を連続して行なわせるようにする、
請求項１に記載の撮像装置。
【請求項１１】
充電された電荷に基づいて、被写体に光を照射する発光手段と、
前記制御手段に基づく前記第１の撮影動作又は前記第２の撮影動作中に、前記発光手段を制御する発光制御手段と、
前記発光手段の充電状態に応じて、次回の発光が可能か否かを検知する検知手段と、
前記検知手段で発光不可能を検知した場合、使用者からの指示を受け付ける指示受付手段と、をさらに備え、
前記制御手段は、前記第１又は第２の撮影動作を行なった後であって、前記指示受付手段が指示を受け付けた場合、次の撮影動作を停止する、
請求項１に記載の撮像装置。
【請求項１２】
表示手段と、
前記制御手段によって前記撮像手段に生成させた第１画像データおよび第２画像データを、前記第１撮影条件を示す情報および第２撮影条件を示す情報と併せて、前記表示手段に表示させる表示制御手段と、
をさらに備え、
前記第１及び第２の撮影条件は、複数の設定項目を有し、
前記受付手段は、使用者による操作に応じて、前記表示手段に表示された第２撮影条件の複数の設定項目うち、少なくとも何れかの設定項目を、前記第１撮影条件として受け付ける、
請求項１に記載の撮像装置。
【請求項１３】
表示手段と、
前記撮像手段で生成した第１画像データに基づく画像および第２画像データに基づく画像を、前記第１撮影条件を示す情報および第２撮影条件を示す情報と併せて、一画面で前記表示手段に表示させる表示制御手段と、
をさらに備える請求項１に記載の撮像装置。